(57)【要約】【課題】照明器具の識別情報とレイアウト情報との関連付けを容易に行う。【解決手段】照明システム１００は、複数の照明器具１０、および、複数の照明器具１０の各々が有する識別情報と複数の照明器具１０のレイアウト情報との関連付けを行う操作装置３０を備える。操作装置３０は、複数の照明器具１０の各々に対応する複数のマークＭと、複数の照明器具１０のうち少なくとも２つの照明器具１０に対応する少なくとも２つのマークＭを含むマーク群Ｇとを、上記レイアウト情報に基づいて表示する表示部３０ｄを備える。【選択図】図５Ｂ
2019036400.tif 000002
【特許請求の範囲】
【請求項１】
複数の照明器具、および、前記複数の照明器具の各々が有する識別情報と前記複数の照明器具のレイアウト情報との関連付けを行う操作装置を備え、
前記操作装置は、前記複数の照明器具の各々に対応する複数のマークと、前記複数の照明器具のうち少なくとも２つの照明器具に対応する少なくとも２つの前記マークを含むマーク群とを、前記レイアウト情報に基づいて表示する表示部を備える
照明システム。
【請求項２】
前記操作装置は、前記表示部に表示された前記複数のマークのうち少なくとも２つの前記マークを含む選択入力を受け付けることで前記マーク群を形成する制御部を備え、
前記制御部は、前記マーク群を形成した後、前記表示部に前記マーク群を表示させる
請求項１に記載の照明システム。
【請求項３】
前記制御部は、前記複数の照明器具のレイアウト情報を有し、前記表示部に表示された前記複数のマークのうち１つの前記マークに対して１つの前記照明器具の識別情報の入力を受け付けることで、当該レイアウト情報と当該識別情報とを関連付ける
請求項２に記載の照明システム。
【請求項４】
前記制御部は、前記マーク群に対応する前記少なくとも２つの照明器具のレイアウト情報を有し、前記表示部に表示された前記マーク群に対して前記少なくとも２つの照明器具の識別情報の入力を受け付けることで、当該レイアウト情報と当該識別情報とを関連付ける
請求項２に記載の照明システム。
【請求項５】
前記マーク群に対応する前記少なくとも２つの照明器具は、群制御される
請求項１〜４のいずれか１項に記載の照明システム。
【請求項６】
複数の照明器具の各々が有する識別情報と前記複数の照明器具のレイアウト情報との関連付けを行う前に、前記複数の照明器具の各々に対応する複数のマークと、前記複数の照明器具のうち少なくとも２つの照明器具に対応する少なくとも２つの前記マークを含むマーク群とを、前記レイアウト情報に基づいて表示する表示部を備える
操作装置。
【請求項７】
操作装置と複数の照明器具とを備える照明システムにおいて、前記複数の照明器具の各々が有する識別情報と、前記複数の照明器具のレイアウト情報とを関連付ける照明システムのマッピング方法であって、
前記レイアウト情報に基づいて、前記複数の照明器具の各々に対応する複数のマーク、および、前記複数のマークのうち少なくとも２つのマークを含むマーク群を前記操作装置に表示する表示工程と、
前記複数の照明器具から前記識別情報を取得する情報取得工程と、
取得した複数の前記識別情報のうち少なくとも２つの識別情報を、前記操作装置に表示された前記マーク群に関連付ける関連付け工程と
を含む照明システムのマッピング方法。
【請求項８】
前記関連付け工程は、取得した複数の前記識別情報の各々を、前記操作装置に表示された前記マークの各々に関連付ける工程を含む
請求項７に記載の照明システムのマッピング方法。
【請求項９】
前記表示工程を行った後、前記情報取得工程および前記関連付け工程を順に行う
請求項７または８に記載の照明システムのマッピング方法。
【請求項１０】
前記情報取得工程を行った後、前記表示工程および前記関連付け工程を順に行う
請求項７または８に記載の照明システムのマッピング方法。
【発明の詳細な説明】
【技術分野】
【０００１】
本発明は、照明器具の識別情報とレイアウト情報との関連付けを行う操作装置、この操作装置を備える照明システム、および、照明システムのマッピング方法に関する。
【背景技術】
【０００２】
従来、複数の照明器具と、タブレットＰＣなどの操作装置とを備える照明システムが知られている（例えば、特許文献１）。
【先行技術文献】
【特許文献】
【０００３】
【特許文献１】特開２０１６−１０３３７２号公報
【発明の概要】
【発明が解決しようとする課題】
【０００４】
複数の照明器具が建物の造営材（天井など）に設置された直後は、照明器具の各々が有する識別情報（識別子など）と、建物内における照明器具の位置を示すレイアウト情報との関係が不明であり、各照明器具を点灯制御することができない状態にある。そのため、操作装置等を用いて照明器具の識別情報とレイアウト情報との関連付けが行われるが、従来は、照明器具の識別情報とレイアウト情報とを１つずつ対応させて関連付けを行うため、多大な労力を有することがあった。
【０００５】
本発明は、照明器具の識別情報とレイアウト情報との関連付けを容易に行うことができる照明システム等を提供することを目的とする。
【課題を解決するための手段】
【０００６】
本発明の照明システムの一態様は、複数の照明器具、および、前記複数の照明器具の各々が有する識別情報と前記複数の照明器具のレイアウト情報との関連付けを行う操作装置を備え、前記操作装置は、前記複数の照明器具の各々に対応する複数のマークと、前記複数の照明器具のうち少なくとも２つの照明器具に対応する少なくとも２つの前記マークを含むマーク群とを、前記レイアウト情報に基づいて表示する表示部を備える。
【０００７】
また、本発明の操作装置の一態様は、複数の照明器具の各々が有する識別情報と前記複数の照明器具のレイアウト情報との関連付けを行う前に、前記複数の照明器具の各々に対応する複数のマークと、前記複数の照明器具のうち少なくとも２つの照明器具に対応する少なくとも２つの前記マークを含むマーク群とを、前記レイアウト情報に基づいて表示する表示部を備える。
【０００８】
また、本発明の照明システムのマッピング方法の一態様は、操作装置と複数の照明器具とを備える照明システムにおいて、前記複数の照明器具の各々が有する識別情報と、前記複数の照明器具のレイアウト情報とを関連付ける照明システムのマッピング方法であって、前記レイアウト情報に基づいて、前記複数の照明器具の各々に対応する複数のマーク、および、前記複数のマークのうち少なくとも２つのマークを含むマーク群を前記操作装置に表示する表示工程と、前記複数の照明器具から前記識別情報を取得する情報取得工程と、取得した複数の前記識別情報のうち少なくとも２つの識別情報を、前記操作装置に表示された前記マーク群に関連付ける関連付け工程とを含む。
【発明の効果】
【０００９】
照明器具の識別情報とレイアウト情報との関連付けを容易に行うことができる。
【図面の簡単な説明】
【００１０】
【図１】実施の形態１に係る照明システムであって、照明システムが備える照明器具、上位コントローラ、無線コントローラおよび操作装置を示す概略図である。
【図２】実施の形態１に係る照明システムの建物内における配置の一例を示す図である。
【図３】実施の形態１に係る照明システムの構成を示すブロック図である。
【図４】実施の形態１に係る照明システムのマッピング方法を示すフローチャートである。
【図５Ａ】実施の形態１の照明システムのマッピング方法における、表示工程および情報取得工程を示す図である。
【図５Ｂ】実施の形態１の照明システムのマッピング方法における、関連付け工程を示す図である。
【図６】実施の形態１の変形例の照明システムのマッピング方法における、関連付け工程を示す図である。
【図７】実施の形態２に係る照明システムのマッピング方法を示すフローチャートである。
【図８】実施の形態３に係る照明システムであって、照明システムが備える照明器具、および操作装置を示す概略図である。
【図９】実施の形態３に係る照明システムの構成を示すブロック図である。
【発明を実施するための形態】
【００１１】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態１）
［１−１．照明システムの概略構成］
図１および図２を参照しながら、実施の形態１の照明システム１００の概略構成について説明する。
【００１４】
図１は、照明システム１００が備える照明器具１ａ、２ａ、３ａ、４ａ、上位コントローラ２０、無線コントローラ２１、２２、および、操作装置３０を示す概略図である。図２は、照明システム１００の建物内における配置の一例を示す図である。
【００１５】
照明システム１００は、複数の照明器具１ａ、２ａ、３ａ、４ａ等と、上位コントローラ２０と、無線コントローラ２１、２２と、操作装置３０とを備える。図１では４台の照明器具が示され、図２では２０台の照明器具が示されているが、実際は建物の天井などに１００台以上の照明器具が設置されることがある。以下、図１または図２に示されている複数の照明器具のうちの一部または全部を指して照明器具１０と呼ぶ場合がある。
【００１６】
図１に示すように、照明器具１ａ、２ａと無線コントローラ２１とは無線ｒ１で通信可能となっている。照明器具３ａ、４ａと無線コントローラ２２とは、有線で通信可能となっている。無線ｒ１による通信方式としては、９２０ＭＨｚ帯または２．４ＧＨｚ帯の周波数を利用した特定小電力無線、Zigbee（登録商標）、Bluetooth（登録商標）、または、WiFi（登録商標）などの方式が用いられる。なお、照明器具１ａ、２ａと無線コントローラ２１とが有線で互いに通信可能であってもよいし、照明器具３ａ、４ａと無線コントローラ２２とが無線ｒ１で互いに通信可能であってもよい。
【００１７】
無線コントローラ２１、２２と上位コントローラ２０とは、有線で通信可能となっている。なお、無線コントローラ２１、２２と上位コントローラ２０とは無線で通信可能であってもよい。
【００１８】
上位コントローラ２０と操作装置３０とは、無線ｒ２で通信可能となっている。無線ｒ２による通信方式としては、無線ｒ１と異なる方式が用いられる。なお、無線ｒ２による通信方式として、無線ｒ１と同様の方式を用いてもよい。また、操作装置３０と上位コントローラ２０は、ＵＳＢなどの接続端子によって有線で通信できるように構成されていてもよい。
【００１９】
操作装置３０は、照明器具１０の各々が有する識別情報と建物内における照明器具１０の位置を示すレイアウト情報との関連付け（以下、マッピングと呼ぶ場合がある）を行う設定器である。照明器具１０は、上記マッピングが行われ、また、無線コントローラ２１、２２とのペアリングが行われることで、上位コントローラ２０によって点灯制御可能となる。
【００２０】
本実施の形態の照明システム１００は、上位コントローラ２０によって個別制御される照明器具１０と、群制御される少なくとも２つの照明器具１０とを備えている。照明システムにおいてマッピングを行う際、個別制御されるべき照明器具１０は、操作装置３０上にて個別に表示され、群制御されるべき照明器具１０は、操作装置３０上にてグループ化された状態で表示される。
【００２１】
［１−２．照明システムの各構成］
図３を参照しながら、照明システム１００を構成する照明器具１０、上位コントローラ２０、無線コントローラ２１、２２および操作装置３０について説明する。図３は、照明システム１００の構成を示すブロック図である。ここでは、照明器具１０のうち照明器具１ａを代表例に挙げて説明する。また、無線コントローラ２１、２２のうち無線コントローラ２１を代表例に挙げて説明する。
【００２２】
照明器具１ａは、通信部１０ａと、点灯部１０ｄと、通信部１０ａおよび点灯部１０ｄに接続されている制御部１０ｃとを備えている。
【００２３】
点灯部１０ｄは、例えば、白色光、赤色光、緑色光または青色光を発する複数の発光ダイオードを含んでいる。通信部１０ａは、例えばアンテナおよび無線モジュールなどであり、無線ｒ１によって無線コントローラ２１と通信する。
【００２４】
制御部１０ｃは、ＣＰＵ（central  processing  unit）、ＲＡＭ（Random  Access  Memory）およびＲＯＭ（read  only  memory）などによって構成されている。制御部１０ｃには、照明器具１ａのＭＡＣアドレス（Media  Access  Control  address）またはＵＤＩＤ（Unique  Device  IDentifier）などの識別情報（ＩＤ）が保存されている。制御部１０ｃは、通信部１０ａを介して受信した指令に基づき、点灯部１０ｄを点灯制御する。
【００２５】
上位コントローラ２０は、通信部２０ａと、通信部２０ａに接続されている制御部２０ｃとを備えている。
【００２６】
通信部２０ａには、無線コントローラ２１が接続されている。無線コントローラ２１は、例えばアンテナおよび無線モジュールであり、上位コントローラ２０の外部に設けられている。通信部２０ａは、無線コントローラ２１を介して照明器具１ａと通信し、無線ｒ２によって操作装置３０と通信する。図３では、無線コントローラ２１が上位コントローラ２０の外部に設けられているが、無線コントローラ２１が上位コントローラ２０の内部に設けられていてもよいし、無線コントローラ２１と上位コントローラ２０とが一体となった１つのコントローラであってもよい。
【００２７】
制御部２０ｃは、ＣＰＵ、ＲＡＭおよびＲＯＭなどにより構成されている。制御部２０ｃは、照明器具１ａのマッピング、および、照明器具１ａと無線コントローラ２１とのペアリングが終了した後に、無線コントローラ２１を介して照明器具１０の点灯制御を行う。
【００２８】
操作装置３０は、例えばタブレットＰＣまたはスマートフォンである。操作装置３０は、通信部３０ａと、表示部３０ｄと、入力部３０ｂと、通信部３０ａ、表示部３０ｄおよび入力部３０ｂに接続された制御部３０ｃとを備えている。
【００２９】
通信部３０ａは、例えばアンテナおよび無線モジュールなどである。通信部３０ａは、前述したように、無線ｒ２によって上位コントローラ２０と通信を行う。
【００３０】
表示部３０ｄは、照明器具１０の識別情報およびレイアウト情報などを表示する部分である。入力部３０ｂは、照明器具１０の識別情報とレイアウト情報との関連付けを行うための入力をユーザから受け付ける部分である。操作装置３０はタッチパネルを備え、タッチパネルは表示部３０ｄおよび入力部３０ｂの両方の機能を有している。
【００３１】
制御部３０ｃは、ＣＰＵ、ＲＡＭおよびＲＯＭなどにより構成されている。制御部３０ｃには、照明器具１０の位置を示すレイアウト情報が保存されている。また、制御部３０ｃは、マッピングを行う前に、上位コントローラ２０および無線コントローラ２１を介して照明器具１０の識別情報を取得し、保存する。
【００３２】
制御部３０ｃは、照明器具１０のレイアウト情報に基づいて、表示部３０ｄに照明器具１０の各々に対応する各マークＭを表示させる（図５Ａの（ａ）参照）。また、制御部３０ｃは、入力部３０ｂを介して、表示部３０ｄに表示された複数のマークＭのうち少なくとも２つのマークＭを含む選択入力を受け付けることで、上記少なくとも２つのマークＭを含むマーク群Ｇを形成する。
【００３３】
制御部３０ｃは、形成したマーク群Ｇを表示部３０ｄに表示させる。制御部３０ｃは、表示されたマーク群Ｇに対し、上記少なくとも２つの照明器具１０の識別情報の入力を受け付けることでマッピングを行う。
【００３４】
照明システム１００においてマッピングおよびペアリングが行われた後、マーク群Ｇに含まれるマークＭに対応する照明器具１０は、上位コントローラ２０によって群制御される。本実施の形態の照明システム１００では、群制御が行われる照明器具１０のマッピングを容易に行うことができる構成となっている。
【００３５】
［１−３．照明システムのマッピング方法］
図４〜図５Ｂを参照しながら、照明システム１００のマッピング方法について説明する。マッピングとは、前述したように、照明器具１０の各々が有する識別情報と、建物内における照明器具１０の位置を示すレイアウト情報とを関連付けることをいう。
【００３６】
図４は、照明システム１００のマッピング方法を示すフローチャートである。図５Ａは、照明システム１００のマッピング方法における、表示工程および情報取得工程を示す図であり、図５Ｂは、関連付け工程を示す図である。
【００３７】
まず、図５Ａの（ａ）に示すように、操作装置３０の表示部３０ｄに、照明器具１０の各々に対応する複数のマークＭを表示する（Ｓ１１）。複数のマークＭは、操作装置３０の制御部３０ｃが有する照明器具１０のレイアウト情報に基づいて表示される。図５Ａの（ａ）では、複数のマークＭのうち、例えばマークＭ１ａ、Ｍ１ｂ、Ｍ２ａ、Ｍ２ｂ、Ｍ３ａ、Ｍ３ｂ、Ｍ４ａ、Ｍ４ｂが行列状に並んで表示されている。マークは、図形であってもよいし、記号、文字または絵文字であってもよい。
【００３８】
次に、複数のマークＭを個別または群に分類して表示する（Ｓ１２：表示工程）。表示部３０ｄに表示されている各マークＭは、当初は個別に表示され、以下の入力を受け付けることでマーク群Ｇの一部として表示される。具体的には、制御部３０ｃが、複数のマークＭのうち少なくとも２つのマークＭを含む選択入力を受け付けることで、マーク群Ｇが形成され、このマーク群Ｇの領域内にマークＭが表示される。例えば、図５Ａの（ａ）に示すように、表示部３０ｄに表示されたマークＭ２ａ、Ｍ２ｂ等をタッチすることでマークＭ２ａ、Ｍ２ｂ等を含む枠状図形のマーク群Ｇ１が表示される。また、表示部３０ｄの右下におけるマークＭ３ｇ、Ｍ３ｆ等を囲むことでマーク群Ｇ２が表示される。マーク群Ｇは、枠状に囲まれた図形によってグループとして表示されてもよいし、各マークＭの形状または色を統一することによってグループとして表示されてもよい。
【００３９】
次に、操作装置３０を用いて各照明器具１０の識別情報を取得する（Ｓ１３：情報取得工程）。操作装置３０は、図５Ａの（ｂ）に示すように、上位コントローラ２０および無線コントローラ２１、２２を介して各照明器具１０の識別情報を取得する。
【００４０】
取得した複数の識別情報は、例えば図５Ｂの（ａ）に示すように、表示部３０ｄの下側に表示される。図５Ｂの（ａ）では、複数の照明器具１０から取得した識別情報「Ａ」〜「Ｋ」が、複数のマークＭの下側に並んで表示されている。表示される識別情報は、アルファベットに限られず、数字またはＭＡＣアドレスそのものであってもよい。
【００４１】
次に、取得した照明器具１０の識別情報のうち１つの識別情報を選択する（Ｓ１４）。具体的には、図５Ｂの（ａ）に示すように、表示部３０ｄに表示された複数の識別情報「Ａ」〜「Ｋ」のうち、例えば「Ｈ」をタッチして選択する。
【００４２】
次に、選択した識別情報に対応する照明器具１０の位置を特定する（Ｓ１５）。ステップＳ１４によって識別情報「Ｈ」が選択されると、操作装置３０から照明器具１０に点滅指令が送信され、図５Ｂの（ｂ）に示すように、識別情報「Ｈ」を有する照明器具１０が点滅する。ユーザは、点滅した照明器具１０の位置を目視確認することで、識別情報「Ｈ」に対応する照明器具１０が表示部３０ｄに示された複数のマークＭのうちどのマークＭに該当するのかを認識する。これにより、選択した照明器具１０の位置を特定する。
【００４３】
次に、照明器具１０の識別情報とレイアウト情報とを関連付ける（Ｓ１６）。
【００４４】
図５Ｂの（ｃ）は、照明器具１０の識別情報と、表示部３０ｄに表示されたマークＭとを１つずつ関連付ける様子を示している。例えば、ステップＳ１５にて点滅させた照明器具１０が表示部３０ｄ上のマークＭ３ｃの位置に対応する場合、図５Ｂの（ｃ）に示すように、表示部３０ｄ上のマークＭ３ｃにタッチすることで識別情報とレイアウト情報との関連付けを行う。
【００４５】
図５Ｂの（ｄ）は、照明器具１０の識別情報と、表示部３０ｄに表示されたマーク群Ｇ１とを関連付ける様子を示している。例えば、ステップＳ１５にて点滅させた照明器具１０が表示部３０ｄ上のマーク群Ｇ１の位置に対応する場合、図５Ｂの（ｄ）に示すように、表示部３０ｄ上のマーク群Ｇ１にタッチすることで識別情報とレイアウト情報との関連付けを行う。
【００４６】
図５Ｂの（ｃ）では、小さな領域からなるマークＭ３ｃをタッチすることで上記識別情報が入力されるが、図５Ｂの（ｄ）では、大きな領域からなるマーク群Ｇ１をタッチすることで上記識別情報が入力される。このように、表示部３０ｄにマーク群Ｇを表示することで、個別に表示されたマークＭに上記識別情報を入力する場合に比べて、簡易な操作で上記識別情報を入力することができる。また、表示部３０ｄ上における厳密な位置合せが必要とされないので、誤入力を抑制することができる。
【００４７】
図５Ｂの（ｄ）の場合において、入力された識別情報（例えば識別情報「Ｈ」）はマーク群Ｇ１内に表示されるが、マーク群Ｇ１内における正確な位置は必要とされない。したがって、入力された識別情報は、例えば、マーク群Ｇ１の領域の左端から入力順に配置されてもよい。また、図５Ｂの（ｃ）および（ｄ）の場合において、表示部３０ｄ上にてマッピングが終了したか否かを確認できるように、マッピングが終了したマークＭの形状または色を変化させて表示してもよい。例えば、マッピングが終わったマークＭについては、その形状を丸「○」から二重丸「◎」に変化させてもよい。
【００４８】
次に、全ての照明器具１０についてマッピングを終えたか否かを判断する（Ｓ１７）。マッピングが行われていない照明器具１０が存在すれば（Ｓ１７のＮｏ）、当該照明器具１０についてステップＳ１４〜Ｓ１６を実行する。全ての照明器具１０においてマッピングを終えると（Ｓ１７のＹｅｓ）、照明システム１００におけるマッピングが終了となる。
【００４９】
［１−４．効果等］
本実施の形態に係る照明システム１００は、複数の照明器具１０、および、複数の照明器具１０の各々が有する識別情報と複数の照明器具１０のレイアウト情報との関連付けを行う操作装置３０を備える。操作装置３０は、複数の照明器具１０の各々に対応する複数のマークＭと、複数の照明器具１０のうち少なくとも２つの照明器具１０に対応する少なくとも２つのマークＭを含むマーク群Ｇとを、上記レイアウト情報に基づいて表示する表示部３０ｄを備える。
【００５０】
このように、少なくとも２つのマークＭを含むマーク群Ｇを表示部３０ｄに表示することで、照明システム１００において、照明器具１０の識別情報とレイアウト情報との関連付けを容易に行うことができる。
【００５１】
また、操作装置３０は、表示部３０ｄに表示された複数のマークＭのうち少なくとも２つのマークＭを含む選択入力を受け付けることでマーク群Ｇを形成する制御部３０ｃを備え、制御部３０ｃは、マーク群Ｇを形成した後、表示部３０ｄにマーク群Ｇを表示させてもよい。
【００５２】
このように、表示部３０ｄにて少なくとも２つのマークＭを含む選択入力を受け付けることで容易にマーク群Ｇを形成することができ、照明器具１０の識別情報とレイアウト情報との関連付けを容易に行うことができる。
【００５３】
また、制御部３０ｃは、複数の照明器具１０のレイアウト情報を有し、表示部３０ｄに表示された複数のマークＭのうち１つのマークＭに対して１つの照明器具１０の識別情報の入力を受け付けることで、当該レイアウト情報と当該識別情報とを関連付けてもよい。
【００５４】
このように、マークＭに対して１つの照明器具１０の入力を受け付けて、照明器具１０の識別情報とレイアウト情報との関連付けを行うことができるので、マッピング入力の自由度を向上させることができる。
【００５５】
また、制御部３０ｃは、マーク群Ｇに対応する少なくとも２つの照明器具１０のレイアウト情報を有し、表示部３０ｄに表示されたマーク群Ｇに対して少なくとも２つの照明器具１０の識別情報の入力を受け付けることで、当該レイアウト情報と当該識別情報とを関連付けてもよい。
【００５６】
このように、マーク群Ｇに対して少なくとも２つの照明器具１０の入力を受け付けることで、照明器具１０の識別情報とレイアウト情報との関連付けを容易に行うことができる。
【００５７】
また、マーク群Ｇに対応する少なくとも２つの照明器具１０は、群制御されてもよい。
【００５８】
これによれば、マーク群Ｇに属する照明器具１０を群制御することが可能になる。
【００５９】
本実施の形態に係る操作装置３０は、複数の照明器具１０の各々が有する識別情報と複数の照明器具１０のレイアウト情報との関連付けを行う前に、複数の照明器具１０の各々に対応する複数のマークＭと、複数の照明器具１０のうち少なくとも２つの照明器具１０に対応する少なくとも２つのマークＭを含むマーク群Ｇとを、上記レイアウト情報に基づいて表示する表示部３０ｄを備える。
【００６０】
このように、少なくとも２つのマークＭを含むマーク群Ｇを表示部３０ｄに表示することで、操作装置３０において、照明器具１０の識別情報とレイアウト情報との関連付けを容易に行うことができる。
【００６１】
本実施の形態に係る照明システム１００のマッピング方法は、操作装置３０と複数の照明器具１０とを備える照明システム１００において、複数の照明器具１０の各々が有する識別情報と、複数の照明器具１０のレイアウト情報とを関連付けるマッピング方法であって、レイアウト情報に基づいて、複数の照明器具１０の各々に対応する複数のマークＭ、および、複数のマークＭのうち少なくとも２つのマークＭを含むマーク群Ｇを操作装置３０に表示する表示工程と、複数の照明器具１０から識別情報を取得する情報取得工程と、取得した複数の識別情報のうち少なくとも２つの識別情報を、操作装置３０に表示されたマーク群Ｇに関連付ける関連付け工程とを含む。
【００６２】
このように、少なくとも２つのマークＭを含むマーク群Ｇを表示部３０ｄに表示する表示工程を有することで、関連付け工程において、照明器具１０の識別情報とレイアウト情報との関連付けを容易に行うことができる。
【００６３】
また、上記関連付け工程は、取得した複数の識別情報の各々を、操作装置３０に表示されたマークＭの各々に関連付ける工程を含んでいてもよい。
【００６４】
このように、マークＭに対して１つの照明器具１０の入力を受け付け、照明器具１０の識別情報とレイアウト情報との関連付け工程を行うことができるので、マッピング入力の自由度を向上させることができる。
【００６５】
また、表示工程を行った後、情報取得工程および関連付け工程を順に行ってもよい。
【００６６】
このように表示工程を行った後、情報取得工程を実行することで、関連付け工程において、照明器具１０の識別情報とレイアウト情報との関連付けを容易に行うことができる。
【００６７】
［１−５．変形例］
図６を参照しながら、変形例における照明システム１００のマッピング方法について説明する。図６は、マッピング方法における関連付け工程を示す図である。
【００６８】
変形例では、表示部３０ｄにおける各マークＭが、地図上に配置されるのではなく、図６の（ａ）に示すように図表としてリストアップされている。具体的には、アルファベットと数字との組み合わせからなる複数のマークＭ１ａ、Ｍ２ａ、Ｍ３ａ、Ｍ４ａが、表の各行に配置されている。また、各マークＭ１ａ〜Ｍ４ａに対応する「場所」、および、各マークＭ１ａ〜Ｍ４ａの帰属が「個別」であるか「群」であるかが表示されている（Ｓ１２）。また、ステップＳ１５によって取得した照明器具１０の識別情報「Ａ」〜「Ｋ」が、表示部３０ｄの下側に表示されている。
【００６９】
この状態で、取得した照明器具１０の識別情報のうち１つの識別情報を選択する（Ｓ１４）。具体的には、図６の（ａ）に示すように、表示部３０ｄに表示された複数の識別情報「Ａ」〜「Ｋ」のうち、例えば「Ｈ」をタッチして選択する。
【００７０】
次に、選択した識別情報に対応する照明器具１０の位置を特定する（Ｓ１５）。ステップＳ１４によって識別情報「Ｈ」が選択されると、操作装置３０から照明器具１０に点滅指令が送信され、図６の（ｂ）に示すように、識別情報「Ｈ」を有する照明器具１０が点滅する。ユーザは、点滅した照明器具１０の位置を目視確認することで、識別情報「Ｈ」に対応する照明器具１０が表示部３０ｄに示された複数のマークＭのうちどの「場所」に該当するのかを認識する。これにより、選択した照明器具１０の位置を特定する。
【００７１】
次に、照明器具１０の識別情報とレイアウト情報とを関連付ける（Ｓ１６）。
【００７２】
図６の（ｃ）は、照明器具１０の識別情報と、表示部３０ｄに表示されたマークＭとを１つずつ関連付ける様子を示している。例えば、ステップＳ１５にて点滅させた照明器具１０がマークＭ４ａの場所「出入口」に対応する場合、図６の（ｃ）に示すように、表示部３０ｄ上のマークＭ４ａの「個別」欄にタッチすることで識別情報とレイアウト情報との関連付けを行う。
【００７３】
図６の（ｄ）は、照明器具１０の識別情報と、表示部３０ｄに表示されたマーク群Ｇ１とを関連付ける様子を示している。例えば、ステップＳ１５にて点滅させた照明器具１０がマーク群Ｇ１の場所「居室２」に対応する場合、図６の（ｄ）に示すように、表示部３０ｄ上のマーク群Ｇ１の「群」欄にタッチすることで識別情報とレイアウト情報との関連付けを行う。
【００７４】
図６の（ｃ）では、小さな領域からなる「個別」欄をタッチすることで上記識別情報が入力されるが、図６の（ｄ）では、大きな領域からなるマーク群Ｇ１の「群」欄をタッチすることで上記識別情報が入力される。このように、表示部３０ｄにマーク群Ｇを表示することで、個別に表示されたマークＭに上記識別情報を入力する場合に比べて、簡易な操作で上記識別情報を入力することができる。また、表示部３０ｄ上における厳密な位置合せが必要とされないので、誤入力を抑制することができる。
【００７５】
（実施の形態２）
図７を参照しながら、実施の形態２に係る照明システム１００Ａのマッピング方法について説明する。
【００７６】
図７は、照明システム１００Ａのマッピング方法を示すフローチャートである。照明システム１００Ａのマッピング方法では、情報取得工程を行った後、表示工程および関連付け工程を順に行う。
【００７７】
具体的には、実施の形態１と同様の方法で各照明器具１０の識別情報を取得した（Ｓ１０）後、照明器具１０に対応する各マークＭを表示し（Ｓ１１）、複数のマークＭを個別または群に分類し表示する（Ｓ１２）。その後は、実施の形態１と同様にステップＳ１４〜Ｓ１５を実行する。
【００７８】
実施の形態２の照明システム１００Ａのマッピング方法のように、情報取得工程を行った後、表示工程を実行した場合であっても、次の関連付け工程において、照明器具１０の識別情報とレイアウト情報との関連付けを容易に行うことができる。
【００７９】
（実施の形態３）
図８および図９を参照しながら、実施の形態３に係る照明システム１００Ｂについて説明する。照明システム１００Ｂは、上位コントローラおよび無線コントローラを備えていない点で、実施の形態１の照明システム１００と異なる。
【００８０】
図８は、照明システム１００Ｂが備える照明器具１ａ〜４ａ、および操作装置３０を示す概略図である。図９は、照明システム１００Ｂの構成を示すブロック図である。
【００８１】
照明システム１００Ｂは、複数の照明器具１ａ〜４ａと、操作装置３０とを備える。図１では４台の照明器具が示されているが、実際は建物の天井などに１００台以上の照明器具が設置されることがある。以下、複数の照明器具１ａ〜４ａのうちの一部または全部を指して照明器具１０と呼ぶ場合がある。
【００８２】
図８および図９に示すように、照明器具１０と操作装置３０とは無線ｒ１で通信可能となっている。操作装置３０は、マッピングを行う設定器である。照明器具１０は、上記マッピングおよび操作装置３０とのペアリングが行われることで、操作装置３０によって点灯制御可能となる。
【００８３】
照明システム１００Ｂは、操作装置３０によって個別制御される照明器具１０と、群制御される少なくとも２つの照明器具１０とを備えている。照明システムにおいてマッピングを行う際、個別制御されるべき照明器具１０は、操作装置３０上にて個別に表示され、群制御されるべき照明器具１０は、操作装置３０上にてグループ化された状態で表示される（図示省略）。
【００８４】
本実施の形態に係る照明システム１００Ｂは、複数の照明器具１０、および、複数の照明器具１０の各々が有する識別情報と複数の照明器具１０のレイアウト情報との関連付けを行う操作装置３０を備える。操作装置３０は、複数の照明器具１０の各々に対応する複数のマークＭと、複数の照明器具１０のうち少なくとも２つの照明器具１０に対応する少なくとも２つのマークＭを含むマーク群Ｇとを、上記レイアウト情報に基づいて表示する表示部３０ｄを備える。
【００８５】
このように、少なくとも２つのマークＭを含むマーク群Ｇを表示部３０ｄに表示することで、照明システム１００Ｂにおいて、照明器具１０の識別情報とレイアウト情報との関連付けを容易に行うことができる。
【００８６】
（その他の形態）
以上、照明システム、操作装置、照明システムのマッピング方法について、実施の形態および変形例に基づいて説明したが、本発明は、上記の実施の形態および変形例に限定されるものではない。例えば、上記の実施の形態および変形例に対して当業者が思いつく各種変形を施して得られる形態や、本発明の趣旨を逸脱しない範囲で実施の形態および変形例における構成要素および機能を任意に組み合わせることで実現される形態も本発明に含まれる。
【００８７】
実施の形態１では、タッチパネルである表示部３０ｄにタッチすることでマーク群Ｇを形成したり、マッピングを行ったりしているが、それに限られない。例えば、操作装置３０がマウス等の入力部３０ｂを有し、この入力部３０ｂを操作することによってマーク群Ｇを形成し、また、マッピングを行ってもよい。
【００８８】
また、実施の形態１のステップＳ１５では、ユーザが目視によって点滅している照明器具１０の位置を特定しているが、それに限られない。例えば、操作装置３０がカメラ等の撮像部を備え、この撮像部によって点滅している照明器具１０の位置を特定してもよい。
【符号の説明】
【００８９】
１ａ、２ａ、３ａ、４ａ、１０  照明器具
３０    操作装置
３０ｃ  制御部
３０ｄ  表示部
１００、１００Ａ、１００Ｂ  照明システム
Ｍ、Ｍ１ａ、Ｍ１ｂ、Ｍ２ａ、Ｍ２ｂ、Ｍ３ａ、Ｍ３ｂ、Ｍ３ｃ、Ｍ３ｆ、Ｍ３ｇ、Ｍ４ａ、Ｍ４ｂ  マーク
Ｇ、Ｇ１、Ｇ２  マーク群
【図１】
2019036400.tif 000003
【図２】
2019036400.tif 000004
【図３】
2019036400.tif 000005
【図４】
2019036400.tif 000006
【図５Ａ】
2019036400.tif 000007
【図５Ｂ】
2019036400.tif 000008
【図６】
2019036400.tif 000009
【図７】
2019036400.tif 000010
【図８】
2019036400.tif 000011
【図９】
2019036400.tif 000012